(57)【要約】  カバーは、特にテーブル用であって、半永久接着剤層（２）を、印刷表示層（４）を有する透明ポリマーキャリア層（３）上に備える。前記カバーは、更にカバーの適用を補助するための剥離紙の下地（１）を備える。前記カバーはたとえばレストランやバーで半永久的にテーブルをカバーするために用いられることができ、選択された期間後の取り外しを可能にする。前記カバーは、広告用資料を提示するために用いられ、カバーの非印刷領域を通してテーブルトップを視認させる。
2007530200.tif 000002
【特許請求の範囲】
【請求項１】
表面に対し適用されるカバーであって、
前記表面に接する半永久接着剤層、
透明なキャリア層、及び
前記キャリア層に印刷された表示層、から成り、
前記テーブルカバーは、表面に適用された状態で、カバーの大部分を通して前記表面を視認可能とされ、前記印刷された領域を除いてカバーの実態が容易に視認できないように構成されていることを特徴とするカバー。
【請求項２】
請求項１に記載のカバーにおいて、カバーを表面に適用する前に取り外される剥離紙の下地をさらに備えていることを特徴とするカバー。
【請求項３】
請求項１に記載のテーブルカバーにおいて、前記表面のほぼ全体を覆うように構成されていることを特徴とするカバー。
【請求項４】
請求項１、２又は３に記載のカバーにおいて、前記カバーは、前記表面の全体を充分に覆うように構成されている一方、前記表示層は、前記キャリア層よりも実質的に小さい領域に設けられていることを特徴とするカバー。
【請求項５】
請求項１又は２に記載のカバーにおいて、前記カバーは、表面の一部のみを覆うのに適するサイズ及び／または形状に構成されていることを特徴とするカバー。
【請求項６】
請求項１〜５の何れか１項に記載のカバーにおいて、前記透明なキャリア層は、１００ミクロン以下の厚みを有していることを特徴とするカバー。
【請求項７】
請求項１〜６の何れか１項に記載のカバーにおいて、前記透明なキャリア層の厚さが１０から１００ミクロンの範囲内にあることを特徴とするカバー。
【請求項８】
請求項１〜７の何れか１項に記載のカバーにおいて、前記透明なキャリア層の厚さが１５から７０ミクロンの範囲内にあることを特徴とするカバー。
【請求項９】
請求項１〜８の何れか１項に記載のカバーにおいて、前記透明なキャリア層はポリエチレン・テレフタレートフィルムであることを特徴とするカバー。
【請求項１０】
請求項１〜９の何れか１項に記載のカバーにおいて、前記表示層を保護するとともに、第２接着剤層により前記表示層上に接着されたポリマーフィルム層を備えていることを特徴とするカバー。
【請求項１１】
請求項１０に記載のカバーにおいて、前記ポリマーフィルム層は、透明な配向ポリプロピレンからなることを特徴とするカバー。
【請求項１２】
請求項１０又は１１に記載のカバーにおいて、前記ポリマーフィルム層は、５から２０ミクロンの範囲内の厚みを有していることを特徴とするカバー。
【請求項１３】
請求項１０、１１又は１２に記載のカバーにおいて、前記接着剤層は、透明なＥＶＡ接着剤であることを特徴とするカバー。
【請求項１４】
請求項１０〜１３の何れか１項に記載のカバーにおいて、前記ポリマーフィルム層は、食品に接触して適用することについて承認される材料であることを特徴とするカバー。
【請求項１５】
請求項１〜１４の何れか１項に記載のカバーにおいて、前記下地と反対側の前記カバーの表面に第２剥離紙層をさらに備え、前記第２剥離紙層は、カバーを前記表面に適用する期間中に当該カバーの取り扱いの補助となるように設けられていることを特徴とするカバー。
【請求項１６】
請求項１〜１５の何れか１項に記載のカバーにおいて、前記印刷された表示層は非連続とされていることを特徴とするカバー。
【請求項１７】
請求項１〜１６の何れか１項に記載のカバーにおいて、前記半永久接着剤層は、無色透明でアクリル系の溶剤型接着剤からなることを特徴とするカバー。
【請求項１８】
請求項１〜１７の何れか１項に記載のカバーにおいて、前記透明なキャリア層はポリマーであることを特徴とするカバー。
【請求項１９】
請求項１〜１８の何れか１項に記載のカバーからなるテーブルカバーであって、前記カバーがテーブルに適用するものであり、前記表面がテーブルトップであることを特徴とするテーブルカバー。
【請求項２０】
テーブルトップを仕上げる方法であって、
隆起のない滑らかなテーブル表面を準備し、
請求項１〜１９の何れか１項に記載のテーブルカバーをテーブルトップに適用し、
前記剥離紙層（ｉ）をテーブルカバーから剥離することにより、前記半永久接着剤層（ｉｉ）をテーブルトップに接着することを特徴とするテーブルトップを仕上げる方法。
【請求項２１】
請求項２０に記載のテーブルトップを仕上げる方法であって、前記テーブルカバーは前記下地と反対側のカバーの表面に、カバーの取り扱いの補助となる第２剥離紙層を備えることを特徴とするテーブルトップを仕上げる方法。
【請求項２２】
請求項２０又は２１に記載のテーブルトップを仕上げる方法であって、テーブルトップ上のテーブルカバーの縁部または複数の縁部は、テーブルトップの縁から５０ｍｍ以下の位置にあることを特徴とする方法。
【請求項２３】
請求項２０、２１又は２２に記載のテーブルトップを仕上げる方法であって、前記テーブルカバーは、それが適用されるテーブルトップの一つ以上の縁部の一部または複数の部分を包む形状及び寸法であることを特徴とする方法。
【発明の詳細な説明】
【技術分野】
【０００１】
本発明は、テーブルや、同様の表面用のカバーに関し、特に、レストランや喫茶店のような商業用飲食施設での使用にとりわけ適したカバーに関する。
【背景技術】
【０００２】
このような施設では、テーブル上に宣伝用の資料を置くことがよく知られている。この資料は、ビール用コースターの形式であったり、紙やプラスティックのランチョンマットに印刷されたりする。本質的に、この方法で提供される宣伝用の資料は、除去可能なものであり、かつ範囲も限定される。
【発明の開示】
【発明が解決しようとする課題】
【０００３】
本発明の目的は、テーブルトップを宣伝媒体に変えるために用いられてもよく、客によって容易に除去されたり傷つけられたりせず、また特定の期間後に交換可能であるテーブルカバーを提供することである。
【課題を解決するための手段】
【０００４】
このカバーはテーブル全体を覆ってもよく、また前記テーブルトップのみに表示を提供するものであってもよい。
【０００５】
したがって、本発明によると、表面に適用されるカバーは、
ｉ）表面に接する半永久接着剤層と、
ｉｉ）透明なキャリア層と、
ｉｉｉ）前記キャリア層に印刷された表示層からなり、
前記テーブルカバーは、表面に適用されたとき、カバーの大部分を通して表面を視認できるが、印刷された領域を除いてカバーの実態を容易に視認させないように構成されていることを特徴とする。
【０００６】
好ましくは、前記カバーは更に、カバーの適用前に除去され、カバーの表面への適用を補助する剥離紙の下地を備える。一方、前記カバーは、表面への適用のために展開されたときに片側に接着剤層が露出するように巻き付けた形態とすることもできる。
【０００７】
前記カバーは、好ましくは、テーブルトップに適用されるテーブルカバーである。
【０００８】
本発明のテーブルカバーを用いてテーブルトップを仕上げる方法には、隆起のない滑らかなテーブル表面を準備し、前段で述べたテーブルカバーをテーブルトップに適用し、この間に、テーブルカバーから剥離紙の層（ｉ）をはがし、半永久接着剤層（ｉｉ）をテーブルトップに接着することが含まれる。必要であれば、テーブルカバーの下にトラップされた気泡は適切なローラ又はスキージを用いて外に出してもよい。
【０００９】
テーブルカバーは、テーブルトップの全体を充分にカバーするように作られるが、カバーとテーブルの縁との隙間が５０ｍｍ以下であることが好ましい。必要であれば、テーブルカバーは、それが適用されるテーブルトップの一つ以上の縁部の一部または数箇所を包む形状とサイズとすることが好ましい。しかし、本発明の各テーブルカバーの好ましい形状とサイズは、それがテーブルに適用されたときに折ったりひだをつけたりする必要のないものである。
【００１０】
カバーの印刷表示層はテーブルカバーの全領域にわたるもの、あるいは非連続性のものであり、印刷表示は装飾的な及び／または広告的な資料で構成されてもよい。
【００１１】
本発明のテーブルカバーは、テーブルトップのほぼ全体をカバーし、表示層はテーブルの面積より相当小さなものであるよう構成されてもよく、テーブルトップに対する表示層の位置は特定の事情に応じて選択される。
【００１２】
必要であれば、テーブルカバーはテーブルトップの一部のみを覆うのに適したサイズ及び／または形状であってよい。
【００１３】
もし、後者のようにテーブルカバーがテーブルトップの一部のみをカバーするのであれば、カバーの印刷表示層は、テーブルカバーのほぼ全域にわたって形成されていてもよい。他方、表示層はテーブルカバーのほんの小さな箇所に位置することもできる。印刷表示は装飾的なもの及び／あるいは広告的な資料であってよい。
【００１４】
本発明の特徴によれば、テーブルカバーの実態を、印刷領域を除いてテーブルを使用する客に対して容易に視認させないが、非印刷領域を通してテーブルトップを視認可能とする。つまり、ポリマーフィルムのキャリア層及びその下の半永久接着剤層は全く透明であり、したがって、カバーの外観はテーブルトップの仕上げの実態として表れる。このような理由から、フィルムの厚さは重要であり、クリアフィルムの好ましい厚さは１０ミクロンから１００ミクロンの範囲であり、より好ましくは１５から７０ミクロンの範囲である。このフィルムに用いられるポリマーは、ポリエチレン・テレフタレート（ＰＥＴ）のような弾力性のある熱可塑性ポリエステルが好ましい。
【００１５】
使用にあたり、本発明のテーブルカバーは、例えば１ヶ月の定期的な間隔で取り替えられる。したがって、半永久接着剤の役割は、テーブルカバーの使用中はテーブルトップにしっかりと付き、しかし所望の期間の終わりにはテーブルカバーの完全な除去及び取替えを可能にすることである。好ましい接着剤は、無色透明のアクリル系の溶剤型接着剤である。
【００１６】
本発明の好ましい実施例において、テーブルカバーは、印刷層を保護し第２接着剤層によって印刷表示層上に接着される第２ポリマーフィルム層を有する。第２ポリマーフィルム層は食品接触用に承認される材料から作られてもよい。適用される接着剤は、間接的に食品に接触するものとして承認される接着剤であることが好ましい。好ましい材料は、保護ポリマー層としては透明な配向ポリプロピレン（ＯＰＰ）フィルム、接着剤としては透明なＥＶＡ接着剤である。
【００１７】
第２ポリマーフィルム層は、５から２０ミクロンの範囲内の厚みを有することが好ましい。
【００１８】
テーブルカバーを適用する方法は簡単であるが、カバーが適用される表面が清潔で滑らかで、傷を引き起こす隆起や（塩のような）固形粒子が表面にないことを確認する配慮が必要である。
【００１９】
ポリマーフィルムのキャリア層は、それ自体が薄く、テーブルトップにテーブルカバーを適用する際の正確さが要求されるため、本発明の更なる実施例では、剥離紙の付加層がテーブルカバーの表面、すなわち基板層（ｉ）の表面と反対側の面上に設けられる。第２剥離紙層はテーブルカバーの取り扱いを容易にするために設けられる。テーブルカバーのキャリア層の性質によって、それはテーブルトップにテーブルカバーが適用される前あるいは適用された後に除去される。通常、キャリア層が薄くなれば、第２剥離紙層は、テーブルカバーがテーブルトップに適用された後までテーブルカバーに残る可能性が高い。
【発明の効果】
【００２０】
本発明によれば、客によって容易に除去されたり傷つけられたりせず、また特定の期間後に交換可能であるテーブルカバーを提供することができる。
【発明を実施するための最良の形態】
【００２１】
テーブルトップに対するカバーの適用を図示する図面を参照しながら、例のみを用いて本発明をより詳しく説明する。しかし、本発明はテーブルトップへの適用のみに限られない。
【００２２】
図１に示すテーブルカバーは、剥離紙の下地１、印刷表示層４を携えるポリマーのキャリア層３に接する半永久接着剤層２、第２接着剤層２ａにより印刷層４を覆うように接着される第２ポリマーフィルム３ａからなる。しかし、図示しない他の実施例によれば、カバーが適用前に巻かれており、テーブルトップに適用される直前にカバーが展開されて接着剤層が露出されるようになっているときには剥離紙を省いてもよい。
【００２３】
半永久接着剤層２は、無色透明のアクリル系溶剤型接着剤であり、層２は約２５ミクロンの厚さを有する。
【００２４】
キャリア層３は、３８ミクロンの厚さを有する市販の透明ＰＥＴフィルムからなり、その表面に印刷層４が印刷される。
【００２５】
印刷表示層４は、約８ミクロンの厚さを有する透明性の配向ポリプロピレンフィルムからなる第２ポリマー層３ａによって保護されている。接着剤層２ａにより第２ポリマー層が固着されるが、この接着剤層２ａは透明なＥＶＡ接着剤からなる。
【００２６】
図２に示す実施例は、図２のテーブルカバーが、カバーをテーブルトップに適用するのを補助する第２剥離紙層５を第２ポリマー層３ａ上に有する点をのぞいて、図１に示すものと同様である。
【００２７】
図３は上から見た平面図であり、透明なＰＥＴフィルム６のキャリア層がキャリア層よりも小さな面積のプリント層７を携える長方形のテーブルカバーである。
【００２８】
図４は円形のテーブルトップ８上に配置された円形テーブルカバーを示す平面図である。テーブルカバーもまた円形であり、そのサイズは、透明なポリマーフィルム１０のキャリア層の縁部９がテーブルトップの縁から１０ｍｍの位置にあるようなサイズである。
【００２９】
透明なポリマーフィルムの縁部９からテーブルカバーの印刷領域の縁部１１の距離は重大なものではなく、印刷層を有する表示材料の性質に依存する。
【００３０】
図５は上から見た平面図であり、円形のテーブルカバーを示す。この円形のテーブルカバーにおいて、透明なポリマーフィルム１２のキャリア層は、使用時に円形のテーブルトップの縁を覆ってテーブルカバーの付加的な支持を提供するためのタブ１３をその縁部に有する。
【００３１】
図６は、図３の長方形のテーブルカバーを例として用い、本発明のテーブルカバーの適用方法を示す斜視図である。
【００３２】
テーブルカバーは、長方形のテーブルトップ１４の一端から適用され、この場合、キャリア層１５は、テーブルトップの端部１６を覆うのに充分な長さとされている。この適用中、剥離紙層（図には示さない）がテーブルカバーから取り外されることによりテーブルカバーの半永久接着剤層が露出し、テーブルカバーを準備された滑らかなテーブルトップに接着させることが可能となる。
【００３３】
図７は本発明に係る他のテーブルカバーをテーブルトップへ適用した状態を図示する斜視図である。
【００３４】
この場合、正方形のテーブルカバー１７が正方形のテーブルトップ１８に適用され、テーブルカバーが適用されるに従い、剥離紙１９の層がテーブルカバーから徐々に剥離され接着剤が露出する。
【００３５】
テーブルカバー１７の印刷表示層は、テーブルカバーの全領域にわたり拡張されており、テーブルカバー１７の端部２０は、テーブルトップ１８の縁から１０ｍｍの位置に配置される。この実施例では、テーブルトップの縁にテーブルカバーが覆い被さらないようにしている。
【００３６】
図８は上から見た平面図で、テーブルトップの中央部上にのみ延びるテーブルカバー２２を携える長方形のテーブル２１を示す。この実施例では透明なＰＥＴフィルムのキャリア層が、テーブルトップの端部を覆い（図示せず）、テーブル表面上に配置されるキャリア層の全領域に設けられた印刷層を備える。
【００３７】
図９は、円形テーブルトップ２４上に配置された円形テーブルカバー２３を示す平面図である。テーブルカバーもまた円形であり、そのサイズは、透明なポリマーフィルムのキャリア層の縁部２５がテーブルトップの縁から１０ｍｍの位置に配置されるように設定されている。
【００３８】
テーブルカバーの印刷領域は、テーブルカバー中央の小さな領域２６である。
【００３９】
前記に説明した適用はテーブルに対するものだが、テーブルカバーはバーやカウンタートップのような同様の表面に施用することができる。
【図面の簡単な説明】
【００４０】
【図１】本発明に係るテーブルカバーの一部を拡大して示す断面略図である。
【図２】本発明の第２の実施例に係る同様の略図である。
【図３】本発明に係る長方形のテーブルカバーを示す平面略図である。
【図４】テーブルトップ上に設けられた本発明に係る円形テーブルカバーを示す平面略図である。
【図５】本発明に係る円形テーブルカバーの他の実施例を示す平面略図である。
【図６】図３の長方形のテーブルカバーのテーブルトップへ適用した状態を示す斜視図である。
【図７】正方形のテーブルカバーのテーブルトップへ適用した状態を一部を省略して示す斜視図である。
【図８】本発明に係る長方形のテーブルカバーを示す平面略図である。
【図９】テーブルトップ上に設けられた本発明に係る円形テーブルカバーを示す平面略図である。
【符号の説明】
【００４１】
１    剥離紙の下地
２    半永久接着剤層
２ａ    第２接着剤層
３、１５    キャリア層
３ａ    第２ポリマーフィルム
４    印刷層
５    第２剥離紙層
７    プリント層
８、１４、１８、２４    テーブルトップ
１０、１２    ポリマーフィルム
１７、２２、２３    テーブルカバー
１９    剥離紙
【図１】
2007530200.tif 000003
【図２】
2007530200.tif 000004
【図３】
2007530200.tif 000005
【図４】
2007530200.tif 000006
【図５】
2007530200.tif 000007
【図６】
2007530200.tif 000008
【図７】
2007530200.tif 000009
【図８】
2007530200.tif 000010
【図９】
2007530200.tif 000011
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
表面に対し適用されるカバーであって、
前記表面に接する半永久接着剤層、
透明なキャリア層、及び
前記キャリア層に印刷された表示層、から成り、
前記カバーは、表面に適用された状態で、カバーの大部分を通して前記表面を視認可能とされ、前記印刷された領域を除いてカバーの実態が容易に視認できないように構成されていることを特徴とするカバー。
【請求項２】
請求項１に記載のカバーにおいて、カバーを表面に適用する前に取り外される剥離紙の下地をさらに備えていることを特徴とするカバー。
【請求項３】
請求項１に記載のカバーにおいて、前記表面のほぼ全体を覆うように構成されていることを特徴とするカバー。
【請求項４】
請求項１、２又は３に記載のカバーにおいて、前記カバーは、前記表面の全体を充分に覆うように構成されている一方、前記表示層は、前記キャリア層よりも実質的に小さい領域に設けられていることを特徴とするカバー。
【請求項５】
請求項１又は２に記載のカバーにおいて、前記カバーは、表面の一部のみを覆うのに適するサイズ及び／または形状に構成されていることを特徴とするカバー。
【請求項６】
請求項１〜５の何れか１項に記載のカバーにおいて、前記透明なキャリア層は、１００ミクロン以下の厚みを有していることを特徴とするカバー。
【請求項７】
請求項１〜６の何れか１項に記載のカバーにおいて、前記透明なキャリア層の厚さが１０から１００ミクロンの範囲内にあることを特徴とするカバー。
【請求項８】
請求項１〜７の何れか１項に記載のカバーにおいて、前記透明なキャリア層の厚さが１５から７０ミクロンの範囲内にあることを特徴とするカバー。
【請求項９】
請求項１〜８の何れか１項に記載のカバーにおいて、前記透明なキャリア層はポリエチレン・テレフタレートフィルムであることを特徴とするカバー。
【請求項１０】
請求項１〜９の何れか１項に記載のカバーにおいて、前記表示層を保護するとともに、第２接着剤層により前記表示層上に接着されたポリマーフィルム層を備えていることを特徴とするカバー。
【請求項１１】
請求項１０に記載のカバーにおいて、前記ポリマーフィルム層は、透明な配向ポリプロピレンからなることを特徴とするカバー。
【請求項１２】
請求項１０又は１１に記載のカバーにおいて、前記ポリマーフィルム層は、５から２０ミクロンの範囲内の厚みを有していることを特徴とするカバー。
【請求項１３】
請求項１０、１１又は１２に記載のカバーにおいて、前記接着剤層は、透明なＥＶＡ接着剤であることを特徴とするカバー。
【請求項１４】
請求項１０〜１３の何れか１項に記載のカバーにおいて、前記ポリマーフィルム層は、食品に接触して適用することについて承認される材料であることを特徴とするカバー。
【請求項１５】
請求項２に記載のカバーにおいて、前記下地と反対側の前記カバーの表面に第２剥離紙層をさらに備え、前記第２剥離紙層は、カバーを前記表面に適用する期間中に当該カバーの取り扱いの補助となるように設けられていることを特徴とするカバー。
【請求項１６】
請求項１〜１５の何れか１項に記載のカバーにおいて、前記印刷された表示層は非連続とされていることを特徴とするカバー。
【請求項１７】
請求項１〜１６の何れか１項に記載のカバーにおいて、前記半永久接着剤層は、無色透明でアクリル系の溶剤型接着剤からなることを特徴とするカバー。
【請求項１８】
請求項１〜１７の何れか１項に記載のカバーにおいて、前記透明なキャリア層はポリマーであることを特徴とするカバー。
【請求項１９】
請求項１〜１８の何れか１項に記載のカバーであって、前記カバーがテーブルに適用するものであり、前記表面がテーブルトップであることを特徴とするカバー。
【請求項２０】
テーブルトップを仕上げる方法であって、
隆起のない滑らかなテーブル表面を準備し、
請求項２に記載のカバーをテーブルトップに適用し、
前記剥離紙層（ｉ）をカバーから剥離することにより、前記半永久接着剤層（ｉｉ）をテーブルトップに接着することを特徴とするテーブルトップを仕上げる方法。
【請求項２１】
請求項２０に記載のテーブルトップを仕上げる方法であって、前記カバーは前記下地と反対側のカバーの表面に、カバーの取り扱いの補助となる第２剥離紙層を備えることを特徴とするテーブルトップを仕上げる方法。
【請求項２２】
請求項２０又は２１に記載のテーブルトップを仕上げる方法であって、テーブルトップ上のカバーの縁部または複数の縁部は、テーブルトップの縁から５０ｍｍ以下の位置にあることを特徴とする方法。
【請求項２３】
請求項２０、２１又は２２に記載のテーブルトップを仕上げる方法であって、前記カバーは、それが適用されるテーブルトップの一つ以上の縁部の一部または複数の部分を包む形状及び寸法であることを特徴とする方法。
【請求項２４】
商業用飲食施設において表面を使用する客用の表面カバーであって、
前記カバーは、表面に適用可能であり、
宣伝用資料を構成する印刷表示層を形成する印刷領域を有する透明なキャリアフィルム層と、
前記表面に接触し、前記カバーが商業用飲食施設で客に使用されている間には、前記表面に対し確実に固着されるとともに客によって前記カバーが容易に除去されたり傷つけられるのを抑制する一方、特定期間の経過後には、前記キャリアフィルム層、印刷表示層、及び半永久的接着剤層とともに前記カバーを完全に除去または交換することを可能にする半永久的接着剤層とを有することを特徴とする表面カバー。
【請求項２５】
表面を客が使用する商業用飲食施設において、表面を宣伝用媒体に変える方法であって、
商業用媒体を構成する印刷表示層を形成する表示領域を有する透明なキャリアフィルム層と半永久的接着剤層と前記半永久的接着剤層を覆う剥離紙層とを有する表面カバーを準備し、
前記表面が清潔で、滑らかで隆起のないことを確認し、
剥離紙層を除去し、
前記半永久的接着剤層を清潔で滑らかな表面に接触させて前記カバーを前記表面に供給することにより、客がカバーを使用している間に前記カバーが客によって容易に除去されたり傷つけられたりせず、かつ、前記カバーを完全に除去させることができるように、前記カバーをしっかりと固着させ、
前記キャリアフィルム層、印刷表示層、及び半永久的接着剤層を有する前記カバーを特定期間後、完全に除去し、かつ
剥離紙層を除去し前記半永久的接着剤層を前記表面に接触させるようにして、キャリアフィルム層、宣伝用媒体を構成する印刷表示層、及び半永久的接着剤層を有する他の頂面カバーを前記表面に供給することにより、前記除去されたカバーを交換することを特徴とする表面を宣伝用媒体に変える方法。
【国際調査報告】
2007530200.tif 000012
2007530200.tif 000013
2007530200.tif 000014